(57)【要約】      （修正有）【課題】ネットワーク間を中継する通信装置を新しい通信装置に移行する際の、移行前の通信装置や通信端末への影響を低減させる。【解決手段】第１のネットワークＮ１と第２のネットワークＮ２との間を中継する第１の通信装置１０と第２の通信装置４０と、通信装置間を接続する装置間ネットワークＮ３を備える通信システム１において、第１の通信装置１０から第２の通信装置４０への移行が開始されると、通信端末２０から送信されるパケットは第２の通信装置４０で中継される。第１のネットワークＮ１で通信装置の移行が開始されると、通信制御装置３０に登録されている中継アドレス情報３１が第２の通信装置４０のアドレス情報に更新されるまで、通信制御装置３０から通信端末２０宛に送信されるパケットは、第１の通信装置１０から装置間ネットワークＮ３及び第２の通信装置４０を経由して通信端末２０に到達する。【選択図】図１
2017085314.tif 000002
【特許請求の範囲】
【請求項１】
複数の異なるネットワーク間を接続するものであって、第１のネットワーク上の通信端末と、第２のネットワーク上の通信制御装置間で送受信されるパケットを中継する通信装置を備える通信システムにおいて、
第１の通信装置と第２の通信装置とを備え、
上記第１の通信装置と上記第２の通信装置とは装置間ネットワークで接続され、
上記第１のネットワークで、上記第１の通信装置から上記第２の通信装置への移行が開始されると、上記通信端末から送信されるパケットは、上記第２の通信装置を介して通信制御装置で受信され、
上記通信制御装置は、上記通信端末へアクセスする際に中継する通信装置の中継アドレス情報を管理しており、
上記第１のネットワークで、上記第１の通信装置から上記第２の通信装置への移行が開始されると、上記通信制御装置に登録されている上記通信端末に係る中継アドレス情報が上記第１の通信装置のアドレス情報から上記第２の通信装置のアドレス情報に更新されるまで、上記通信制御装置から上記通信端末宛に送信されるパケットは、上記第１の通信装置から上記装置間ネットワークを経由して上記第２の通信装置に供給され、
上記第２の通信装置は、上記装置間ネットワークを経由して上記通信端末宛のパケットを受信した場合、当該パケットを上記通信端末宛として上記第１のネットワーク上に送出する
ことを特徴とする通信システム。
【請求項２】
上記第１の通信装置は、中継用ルータを経由して上記第１のネットワークに接続しており、
上記中継用ルータは、上記第１の通信装置から上記通信端末宛に送出されたパケットを、上記装置間ネットワーク側にルーティングするように設定することが可能である
ことを特徴とする請求項１に記載の通信システム。
【請求項３】
上記第１の通信装置は、仮想ルータを経由して上記第１のネットワークに接続しており、
上記中継用ルータは、上記仮想ルータ上に論理的に設定されていること
を特徴とする請求項２に記載の通信システム。
【請求項４】
複数の異なるネットワーク間を接続するものであって、第１のネットワーク上の通信端末と、第２のネットワーク上の通信制御装置間で送受信されるパケットを中継する通信装置を備える通信システムで、第１の通信装置から第２の通信装置に移行する移行方法において、
上記第１の通信装置と上記第２の通信装置とは装置間ネットワークで接続され、
上記第１のネットワークで、上記第１の通信装置から上記第２の通信装置への移行が開始されると、上記通信端末から送信されるパケットは、上記第２の通信装置を介して通信制御装置で受信され、
上記通信制御装置は、上記通信端末へアクセスする際に中継する通信装置の中継アドレス情報を管理しており、
上記第１のネットワークで、上記第１の通信装置から上記第２の通信装置への移行が開始されると、上記通信制御装置に登録されている上記通信端末に係る中継アドレス情報が上記第１の通信装置のアドレス情報から上記第２の通信装置のアドレス情報に更新されるまで、上記通信制御装置から上記通信端末宛に送信されるパケットは、上記第１の通信装置から上記装置間ネットワークを経由して上記第２の通信装置に供給され、
上記第２の通信装置は、上記装置間ネットワークを経由して上記通信端末宛のパケットを受信した場合、当該パケットを上記通信端末宛として上記第１のネットワーク上に送出する
ことを特徴とする移行方法。
【発明の詳細な説明】
【技術分野】
【０００１】
この発明は、通信システム及び移行方法に関し、例えば、通信キャリアのネットワークにおいて、ＳＢＣ（Ｓｅｓｓｉｏｎ  Ｂｏｒｄｅｒ  Ｃｏｎｔｒｏｌｌｅｒ）を移行する際に適用し得る。
【背景技術】
【０００２】
従来の通信キャリア等の大規模なＩＰネットワークでは、異なるネットワーク（ＩＰネットワーク間）を接続する装置として、ＳＢＣ（Ｓｅｓｓｉｏｎ  Ｂｏｒｄｅｒ  Ｃｏｎｔｒｏｌｌｅｒ）が適用される。
【０００３】
そして、通常通信キャリアでは、ネットワーク装置を新しい装置（ハードウェア）に移行する場合でも、可能な限り加入者への影響を抑制することが好ましい。
【０００４】
複数ネットワーク間に接続されるネットワーク装置の移行（新しい装置への置き換え）を行う従来技術としては、例えば、特許文献１の記載技術がある。
【０００５】
特許文献１に記載されたシステムでは、公衆電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）とＩＰネットワークとの間を接続するＩＰ電話交換機が配置されている。そして特許文献１には、新しいＩＰ電話交換機と古いＩＰ電話交換機との間に中継装置を配置することで、加入者に対する通信サービス（例えば、通話サービス）に影響を与えずに切り替えることについて記載されている。
【先行技術文献】
【特許文献】
【０００６】
【特許文献１】特開２０１０−０８１１５０号公報
【発明の概要】
【発明が解決しようとする課題】
【０００７】
しかしながら、特許文献１の記載技術はＩＰネットワークと公衆電話網（ＰＳＴＮ）との間のＩＰ電話交換機に関する移行方法である。したがって、ＳＢＣのようにＩＰネットワーク間を接続する装置について移行する際に、特許文献１の記載技術をそのまま用いることができない。
【０００８】
また、単純にＳＢＣを旧い装置（以下、「旧ＳＢＣ」とも呼ぶ）から新しい装置（以下、「新ＳＢＣ」とも呼ぶ）に移行する際に、サービス全停止（全加入者へのサービス停止）を避けるためには、加入者への影響や、旧ＳＢＣに対するサービス停止が避けられない。具体的には、例えば、ＳＢＣ加入者端末側で設定変更を行う方法(以下、「第１の移行方法」とも呼ぶ)がある。第１の移行方法では、加入者側の端末（以下、「ＳＢＣ加入者端末」とも呼ぶ）ごとに新ＳＢＣ向けの設定変更を行わなければならない。そのため、第１の移行方法では、旧ＳＢＣに収容している加入者が非常に多い場合、短時間での切り替えができないことやエンドユーザ側で設定変更しなければならないため移行に伴うコストが増大する懸念がある。
【０００９】
また、例えば、旧ＳＢＣで設定変更を行う方法(以下、「第２の移行方法」とも呼ぶ)がある。第２の移行方法では、旧ＳＢＣ側に追加で設定（移行途中で新ＳＢＣとの間の通信を実現するための設定）を盛り込まなければならない。そのため、第２の移行方法では、旧ＳＢＣに対する設定変更の内容によっては旧ＳＢＣ側の追加開発に伴うコストが増大する懸念がある。
【００１０】
以上のような問題に鑑みて、ネットワーク間を中継する通信装置（例えば、ＳＢＣ）を新しい装置に移行する際に、移行前の通信装置（例えば、旧ＳＢＣ）や通信端末（例えば、ＳＢＣ加入者端末）への影響を低減させることができる通信システム及び移行方法が望まれている。
【課題を解決するための手段】
【００１１】
第１の本発明は、複数の異なるネットワーク間を接続するものであって、第１のネットワーク上の通信端末と、第２のネットワーク上の通信制御装置間で送受信されるパケットを中継する通信装置を備える通信システムにおいて、（１）第１の通信装置と第２の通信装置とを備え、（２）上記第１の通信装置と上記第２の通信装置とは装置間ネットワークで接続され、（３）上記第１のネットワークで、上記第１の通信装置から上記第２の通信装置への移行が開始されると、上記通信端末から送信されるパケットは、上記第２の通信装置を介して通信制御装置で受信され、（４）上記通信制御装置は、上記通信端末へアクセスする際に中継する通信装置の中継アドレス情報を管理しており、（５）上記第１のネットワークで、上記第１の通信装置から上記第２の通信装置への移行が開始されると、上記通信制御装置に登録されている上記通信端末に係る中継アドレス情報が上記第１の通信装置のアドレス情報から上記第２の通信装置のアドレス情報に更新されるまで、上記通信制御装置から上記通信端末宛に送信されるパケットは、上記第１の通信装置から上記装置間ネットワークを経由して上記第２の通信装置に供給され、（６）上記第２の通信装置は、上記装置間ネットワークを経由して上記通信端末宛のパケットを受信した場合、当該パケットを上記通信端末宛として上記第１のネットワーク上に送出することを特徴とする。
【００１２】
第２の本発明は、複数の異なるネットワーク間を接続するものであって、第１のネットワーク上の通信端末と、第２のネットワーク上の通信制御装置間で送受信されるパケットを中継する通信装置を備える通信システムで、第１の通信装置から第２の通信装置に移行する移行方法において、（１）上記第１の通信装置と上記第２の通信装置とは装置間ネットワークで接続され、（２）上記第１のネットワークで、上記第１の通信装置から上記第２の通信装置への移行が開始されると、上記通信端末から送信されるパケットは、上記第２の通信装置を介して通信制御装置で受信され、（３）上記通信制御装置は、上記通信端末へアクセスする際に中継する通信装置の中継アドレス情報を管理しており、（４）上記第１のネットワークで、上記第１の通信装置から上記第２の通信装置への移行が開始されると、上記通信制御装置に登録されている上記通信端末に係る中継アドレス情報が上記第１の通信装置のアドレス情報から上記第２の通信装置のアドレス情報に更新されるまで、上記通信制御装置から上記通信端末宛に送信されるパケットは、上記第１の通信装置から上記装置間ネットワークを経由して上記第２の通信装置に供給され、（５）上記第２の通信装置は、上記装置間ネットワークを経由して上記通信端末宛のパケットを受信した場合、当該パケットを上記通信端末宛として上記第１のネットワーク上に送出することを特徴とする。
【発明の効果】
【００１３】
本発明によれば、ネットワーク間を中継する通信装置を新しい通信装置に移行する際の、移行前の通信装置や通信端末への影響を低減させることができる。
【図面の簡単な説明】
【００１４】
【図１】実施形態に係る通信システムで、ＳＢＣ移行する際の論理接続構成について示したブロック図である。
【図２】実施形態に係る通信システムで、ＳＢＣ移行する前の論理接続構成について示したブロック図である。
【図３】実施形態に係る通信システムで、ＳＢＣ移行する前の物理接続構成について示したブロック図である。
【図４】実施形態に係る通信システムで、ＳＢＣ移行する際の物理接続構成について示したブロック図である。
【図５】実施形態に係る通信システムで、ＳＢＣ移行が完了し旧ＳＢＣを撤去した後の論理接続構成について示したブロック図である。
【図６】実施形態に係る通信システムで、ＳＢＣ移行が完了し旧ＳＢＣを撤去した後の物理接続構成について示したブロック図である。
【図７】実施形態に係る通信システムがＳＢＣ移行の第１フェーズ（移行前フェーズ）の状態におけるパケットの通信経路について示した説明図である。
【図８】実施形態に係る通信システムがＳＢＣ移行の第２フェーズ（移行中フェーズ）の状態におけるパケットの通信経路について示した説明図（その１）である。
【図９】実施形態に係る通信システムがＳＢＣ移行の第２フェーズ（移行中フェーズ）の状態におけるパケットの通信経路について示した説明図（その２）である。
【図１０】実施形態に係る通信システムがＳＢＣ移行の第３フェーズ（移行後フェーズ）の状態におけるパケットの通信経路について示した説明図である。
【発明を実施するための形態】
【００１５】
（Ａ）主たる実施形態
以下、本発明による通信システム及び移行方法の一実施形態を、図面を参照しながら詳述する。
【００１６】
（Ａ−１）実施形態の構成
以下では、ＳＢＣを備える通信システム１においてＳＢＣを移行する際の構成を説明する。以下では、移行前から通信システム１で用いられていたＳＢＣを「旧ＳＢＣ」と呼び、移行後に通信システム１で用いられるＳＢＣを「新ＳＢＣ」と呼ぶものとする。ＳＢＣは、例えば、運用ポリシーが異なるＩＰネットワーク境界に設置されるものであり、ＩＰパケットのＮＡＴ（Ｎｅｔｗｏｒｋ  Ａｄｄｒｅｓｓ  Ｔｒａｎｓｌａｔｉｏｎ）及びＮＡＰＴ（Ｎｅｔｗｏｒｋ  Ａｄｄｒｅｓｓ  Ｐｏｒｔ  Ｔｒａｎｓｌａｔｉｏｎ）機能、ＳＩＰ（Ｓｅｓｓｉｏｎ  Ｉｎｉｔｉａｔｉｏｎ  Ｐｒｏｔｏｃｏｌ）などのシグナリングプロトコルやメディア通信プロトコルのファイアウォール機能、各信号やコーデックの変換機能、ＱｏＳ（Ｑｕａｌｉｔｙ  ｏｆ  Ｓｅｒｖｉｃｅ）制御機能等の機能を提供する装置である。
【００１７】
図２は、通信システム１において、ＳＢＣを移行する前（後述する新ＳＢＣ４０を接続する前）の論理接続構成について示したブロック図である。また、図３は、通信システム１において、ＳＢＣを移行する前の物理接続構成の例について示したブロック図である。
【００１８】
図２に示すように、通信システム１には、移行前（後述する新ＳＢＣ４０を接続する前）は、論理的には、第１の通信装置としての旧ＳＢＣ１０、通信端末としてのＳＢＣ加入者端末２０、及び通信制御装置（呼制御装置；呼制御サーバ）としてのクラス５ソフトスイッチ３０を有している。なお、通信システム１において、各装置を配置する数は限定されないものである。
【００１９】
通信システム１には、ＳＢＣ加入者端末２０等の加入者側の装置が接続するアクセスネットワークＮ２と、クラス５ソフトスイッチ３０等のサーバ（ＳＢＣ加入者端末２０に対してサービスを提供するサーバ）が接続されたコアネットワークＮ１が配置されている。
【００２０】
旧ＳＢＣ１０は、コアネットワークＮ１とアクセスネットワークＮ２との境界に設置された通信装置（ＳＢＣ機能に対応するネットワーク装置）である。
【００２１】
ＳＢＣ加入者端末２０はアクセスネットワークＮ２に接続されており、ＳＩＰ信号を処理して発着信などの電話端末としての機能を提供する。
【００２２】
クラス５ソフトスイッチ３０（Ｃｌａｓｓ  ５  ＳｏｆｔＳｗｔｉｃｈ）はコアネットワークＮ１に接続されている。クラス５ソフトスイッチ３０は、ＳＢＣ加入者端末２０に対してＳＩＰを用いたサービスの提供（ＳＩＰサーバの処理）を行うものである。クラス５ソフトスイッチ３０は、例えば、クライアントの代理としてメッセージを中継するプロキシサーバ、ＳＢＣ加入者端末からのリクエストの宛先の問い合わせに利用されるリダイレクトサーバ、ＳＢＣ加入者端末からの端末情報の登録要求を受け付けるレジストラサーバといった、ＳＩＰサーバとしての機能を担っている。クラス５ソフトスイッチ３０は、ＳＢＣ加入者端末２０とＳＩＰ信号（ＳＩＰメッセージ）等を送受信することで、ＳＢＣ加入者端末２０に対してサービス提供を行う。
【００２３】
ＳＢＣ加入者端末２０はアクセスネットワークＮ２に接続している端末である。ＳＢＣ加入者端末２０は、クラス５ソフトスイッチ３０等と通信（例えば、ＳＩＰ信号の送受信）を行うことにより電話通信の発着信等（アプリケーションの処理）を行う。この実施形態では、ＳＢＣ加入者端末２０は電話端末の機能を提供する端末であるものとして説明するが、ＳＢＣ加入者端末２０が対応する機能（アプリケーション）は限定されないものである。アクセスネットワークＮ２に接続されるＳＢＣ加入者端末２０の数や、アクセスネットワークＮ２の数は限定されないものである。通常通信キャリアの設備では、複数のアクセスネットワークＮ２を備え、各アクセスネットワークＮ２に多数のＳＢＣ加入者端末２０が接続されることになる。各アクセスネットワークＮ２に接続される各ＳＢＣ加入者端末２０は、同様の処理を行うことになるため、以下では説明を簡易とするために、アクセスネットワークＮ２に接続されるＳＢＣ加入者端末２０は１つであるものとして説明する。
【００２４】
図２の状態（後述する新ＳＢＣ４０の接続前）において、論理的には旧ＳＢＣ１０がアクセスネットワークＮ２に接続する経路（インタフェース）に、ＳＢＣ加入者用ＩＰアドレスＡ１が割り当てられている。また、ＳＢＣ加入者端末２０がアクセスネットワークＮ２に接続するインタフェースには、ＳＢＣ加入者端末用ＩＰアドレスＡ２が割り当てられている。さらに、図２の状態（後述する新ＳＢＣ４０の接続前）において、論理的には旧ＳＢＣ１０がコアネットワークＮ１に接続する経路（インタフェース）に、旧ＳＢＣ用アドレスＡ３が割り当てられている。
【００２５】
例えば、各ＳＢＣ加入者端末２０は、クラス５ソフトスイッチ３０にＳＩＰメッセージのパケット送信を行う際には、宛先としてＳＢＣ加入者用ＩＰアドレスＡ１を設定する。そして、旧ＳＢＣ１０では、当該パケットについて所定の変換（例えば、コアネットワークＮ１で対応するアドレス変換当）を行い、コアネットワークＮ１を介しクラス５ソフトスイッチ３０に送信する。以上のように、図２の状態において、通信システム１では、ＳＢＣ加入者用ＩＰアドレスＡ１を用いて、ＳＢＣ加入者端末２０（アクセスネットワークＮ２）からクラス５ソフトスイッチ３０（コアネットワークＮ１）へのパケット送信（例えば、ＳＩＰメッセージのパケット送信）が行われる。
【００２６】
ところで、クラス５ソフトスイッチ３０は、各ＳＢＣ加入者端末２０に対応する情報（以下、「端末情報」と呼ぶ）を管理する端末情報保持部３１を有しているものとする。ここでは、クラス５ソフトスイッチ３０（端末情報保持部３１）は、例えば、ＳＢＣ加入者端末２０からＳＩＰのＲＥＧＩＳＴＥＲメッセージ（ＲＥＧＩＳＴＥＲ信号）等により登録を受け付けると、当該ＲＥＧＩＳＴＥＲメッセージに基づき各ＳＢＣ加入者端末２０に対応する端末情報を管理する。クラス５ソフトスイッチ３０は、例えば、ＲＥＧＩＳＴＥＲメッセージの内容や、当該ＲＥＧＩＳＴＥＲメッセージが挿入されたパケットのヘッダ情報等に基づき、各ＳＢＣ加入者端末２０にアクセスするためのＩＰアドレスや、当該ＳＢＣ加入者端末２０にアクセスするためのＳＢＣ（中継先）のＩＰアドレス（例えば、当該ＲＥＧＩＳＴＥＲメッセージに設定された送信元のＩＰアドレス）等の情報を保持し、端末情報として管理するものとする。
【００２７】
また、通信システム１では、ＳＢＣ加入者端末２０からクラス５ソフトスイッチ３０に対し、一定周期でＲＥＧＩＳＴＥＲメッセージを送信するものとする。ＳＢＣ加入者端末２０が、ＲＥＧＩＳＴＥＲメッセージを送信することで、クラス５ソフトスイッチ３０の端末情報が更新される。なお、クラス５ソフトスイッチ３０が、定期・不定期の間隔でＳＢＣ加入者端末２０に対してＳＩＰのＲＥＧＩＳＴＥＲメッセージの送信を要求して端末情報を更新するようにしてもよい。
【００２８】
そして、図２の状態（後述する新ＳＢＣ４０の接続前）において、クラス５ソフトスイッチ３０は、ＳＢＣ加入者端末２０に対してＳＩＰメッセージを送信する際には、保持している端末情報に基づいて、宛先のＩＰアドレス（ＳＢＣ加入者端末用ＩＰアドレスＡ２）と、中継するＳＢＣのＩＰアドレス（旧ＳＢＣ用アドレスＡ３）を設定したＳＩＰメッセージを生成し、端末情報に基づくＳＢＣ（端末情報に設定されたＳＢＣのＩＰアドレス）に、当該ＳＩＰメッセージのパケットを送信（ルーティング）することになる。
【００２９】
そして、クラス５ソフトスイッチ３０から送出されたＳＩＰメッセージのパケットは、コアネットワークＮ１でルーティングされて、旧ＳＢＣ１０（旧ＳＢＣ用アドレスＡ３）に到達する。そして、旧ＳＢＣ１０が、当該パケットについて所定の変換（例えば、アクセスネットワークＮ２で対応するアドレス変換等）を行い、アクセスネットワークＮ２を介しＳＢＣ加入者端末２０（ＳＢＣ加入者端末用ＩＰアドレスＡ２宛）に送信する。
【００３０】
以上のように、図２の状態において、通信システム１では、旧ＳＢＣ用アドレスＡ３及びＳＢＣ加入者端末用ＩＰアドレスＡ２を用いて、クラス５ソフトスイッチ３０（コアネットワークＮ１）からＳＢＣ加入者端末２０（アクセスネットワークＮ２）へのパケット送信（例えば、ＳＩＰメッセージのパケット送信）が行われる。
【００３１】
次に、図２に示す状態（後述する新ＳＢＣ４０を接続する前）の通信システム１の物理接続構成の例について図３を用いて説明する。図２に示す論理接続構成を実現するための具体的な物理接続構成については限定されないものであるが、この実施形態では、移行前の通信システム１の物理接続構成は図３に示すような構成であるものとする。
【００３２】
図３に示すように、この実施形態では、旧ＳＢＣ１０は、仮想ルータ６０を介してアクセスネットワークＮ２に接続している。
【００３３】
仮想ルータ６０は、論理的に１又は複数の論理的（仮想的）なルータを形成することができるネットワーク装置である。仮想ルータ６０は、例えば、ＮＦＶ（Ｎｅｔｗｏｒｋ  Ｆｕｎｃｔｉｏｎｓ  Ｖｉｒｔｕａｌｉｚａｔｉｏｎ）等の技術により実現された装置を適用することができる。
【００３４】
図３の状態において、仮想ルータ６０には、旧ＳＢＣ１０とアクセスネットワークＮ２との間を中継する加入者用ルータ６１が設定されているものとする。
【００３５】
図３に示すように、この実施形態では、旧ＳＢＣ１０には、旧ＳＢＣ用Ｌ３スイッチ４０が接続されている。また、図３に示すように、この実施形態では、コアネットワークＮ１は、Ｌ３スイッチ５０が接続されている。さらに、図３に示すように、この実施形態では、旧ＳＢＣ用Ｌ３スイッチ４０は、Ｌ３スイッチ５０を介してコアネットワークＮ１に接続されている。さらにまた、図３に示すように、この実施形態では、旧ＳＢＣ用Ｌ３スイッチ４０のコアネットワークＮ１側（Ｌ３スイッチ５０側）のインタフェースには、旧ＳＢＣ用アドレスＡ３が設定されているものとする。すなわち、この実施形態の物理接続構成では、旧ＳＢＣ１０は、コアネットワークＮ１に接続するインタフェースとして旧ＳＢＣ用Ｌ３スイッチ４０を備える構成となっているものとする。
【００３６】
次に、通信システム１においてＳＢＣ移行する際に、新ＳＢＣ４０を接続した状態の論理接続構成について図１を用いて説明する。
【００３７】
第２の通信装置としての新ＳＢＣ４０は、旧ＳＢＣ１０の移行先のＳＢＣであり、少なくとも旧ＳＢＣ１０と同様の機能に対応したＳＢＣ（通信装置）であるものとする。
【００３８】
新ＳＢＣ４０は、アクセスネットワークＮ２とコアネットワークＮ１に接続される。また、ＳＢＣ移行する際に、図１に示すように、旧ＳＢＣ１０と新ＳＢＣ４０との間に、装置間ネットワークとしての移行用ネットワークＮ３が設定されるものとする。移行用ネットワークＮ３は、ＳＢＣ移行中のみ使用するネットワークであり、移行後は使用しない。移行用ネットワークＮ３は、旧ＳＢＣ１０から新ＳＢＣ４０にＩＰパケットを送信する際に使用されるネットワークである。なお、アクセスネットワークＮ２に複数のＳＢＣ加入者端末２０が配置されている場合は、それぞれのＳＢＣ加入者端末２０に対応するアドレスがＳＢＣ加入者端末用ＩＰアドレスＡ２と同様に新ＳＢＣ４０に設定されることになる。
【００３９】
図１に示すように、ＳＢＣ移行する際に、論理的には新ＳＢＣ４０がアクセスネットワークＮ２に接続する経路（インタフェース）に、ＳＢＣ加入者用ＩＰアドレスＡ１が割り当てられている。また、図１に示すように、ＳＢＣ移行する際に、論理的には新ＳＢＣ４０が移行用ネットワークＮ３に接続する経路（インタフェース）に、ＳＢＣ加入者端末用ＩＰアドレスＡ２が割り当てられている。このとき、通信システム１において、旧ＳＢＣ１０と新ＳＢＣ４０に、ＳＢＣ加入者用ＩＰアドレスＡ１が割り当てられることになるが、アクセスネットワークＮ２では、ＳＢＣ加入者端末２０からＳＢＣ加入者用ＩＰアドレスＡ１宛に送信されたパケットを、旧ＳＢＣ１０が接続されている経路、又は新ＳＢＣ４０が接続されている経路のいずれかにルーティングする設定が可能となっているものとする。例えば、後述するように、仮想ルータ６０の設定により、ＳＢＣ加入者端末２０からＳＢＣ加入者用ＩＰアドレスＡ１宛に送信されたパケットを旧ＳＢＣ１０側又は新ＳＢＣ４０のいずれかにルーティングするようにしてもよい。
【００４０】
次に、図１に示す状態（新ＳＢＣ４０を接続した状態）の通信システム１の物理接続構成の例について図４を用いて説明する。図４に示す論理接続構成を実現するための具体的な物理接続構成については限定されないものであるが、この実施形態では、移行前／移行中の通信システム１の物理接続構成は図４に示すような構成であるものとする。
【００４１】
図４に示すように、この実施形態では、ＳＢＣ移行する際に、新ＳＢＣ４０の接続に伴い新ＳＢＣ用Ｌ３スイッチ７０が追加されている。新ＳＢＣ４０は、新ＳＢＣ用Ｌ３スイッチ７０を介して、コアネットワークＮ１に接続している。
【００４２】
そして、図４に示すように、この実施形態では、新ＳＢＣ用Ｌ３スイッチ７０のコアネットワークＮ１側（Ｌ３スイッチ５０側）のインタフェースには、新ＳＢＣ用アドレスＡ４が設定されているものとする。すなわち、この実施形態の物理接続構成では、旧ＳＢＣ１０は、コアネットワークＮ１に接続するインタフェースとして新ＳＢＣ用Ｌ３スイッチ７０を備える構成となっているものとする。
【００４３】
また、図４に示すように、この実施形態では、新ＳＢＣ４０の接続に伴い、仮想ルータ６０に、加入者用ルータ６２及び加入者移行用ルータ６３が設定されている。加入者用ルータ６２は、新ＳＢＣ４０接続時に、アクセスネットワークＮ２と旧ＳＢＣ１０との間の接続、及び旧ＳＢＣ１０と新ＳＢＣ４０との間を接続可能な仮想ルータである。すなわち、通信システム１では、新ＳＢＣ４０接続時に、アクセスネットワークＮ２と旧ＳＢＣ１０との間を接続する仮想ルータが、加入者用ルータ６１から加入者用ルータ６２に切り替えられている。以上のように、この実施形態では、加入者用ルータ６２により、旧ＳＢＣ１０と新ＳＢＣ４０との間を接続する移行用ネットワークＮ３が形成されている。また、加入者移行用ルータ６３は、アクセスネットワークＮ２と新ＳＢＣ４０との間を接続する仮想ルータである。
【００４４】
図４に示すように、新ＳＢＣ４０は、加入者用ルータ６２を介して旧ＳＢＣ１０と接続し、加入者移行用ルータ６３を介してアクセスネットワークＮ２と接続している。図４に示すように、新ＳＢＣ４０は、加入者用ルータ６２と加入者移行用ルータ６３のそれぞれに対してリンクしている。新ＳＢＣ４０は、加入者用ルータ６２向けと、加入者移行用ルータ６３向けのそれぞれに対して別個の物理リンク（例えば、別個のケーブル）を用いて接続するようにしても良いし、１つの物理リンクで接続して論理的に別個のリンクを設定するようにしてもよい。
【００４５】
なお、アクセスネットワークＮ２では、ＳＢＣ加入者端末２０からＳＢＣ加入者用ＩＰアドレスＡ１宛に送信されたパケットを、加入者用ルータ６２（旧ＳＢＣ１０）又は、加入者移行用ルータ６３（新ＳＢＣ４０）のいずれかにルーティングする制御（設定）を行うことが可能であるものとする。すなわち、アクセスネットワークＮ２において、新ＳＢＣ４０を接続直後には、ＳＢＣ加入者用ＩＰアドレスＡ１宛に送信されたパケットを加入者用ルータ６２（旧ＳＢＣ１０）側にルーティングするように設定しておき、ルーティング先を加入者移行用ルータ６３（新ＳＢＣ４０）に変更（例えば、システム管理者当の操作により設定変更）することで、ＳＢＣ移行を開始（ＳＢＣの切替を開始）することができる。アクセスネットワークＮ２におけるルーティング設定の変更方法は限定されないものであるが、例えば、アクセスネットワークＮ２上のルータにおける経路設定を変更（例えば、スタティックルートの設定変更や、ルートごとのコストの見直し等）により実現することができる。なお、仮想ルータ６０において、加入者用ルータ６２を設定する場合には、従前の加入者用ルータ６１と同様のアドレス設定（特に、アクセスネットワークＮ２側のインタフェースのアドレス設定）を行うことが望ましい。これにより、仮想ルータ６０で、加入者用ルータ６１から加入者用ルータ６２への移行を行う際に、アクセスネットワークＮ２側の影響を低減できる。
【００４６】
以上のように、通信システム１では、ＳＢＣ移行の過程で、アクセスネットワークＮ２のルーティング設定により、ＳＢＣ加入者端末２０からＳＢＣ加入者用ＩＰアドレスＡ１宛に送信されたパケットを、旧ＳＢＣ１０又は新ＳＢＣ４０側のいずれに供給するかを制御することができる。
【００４７】
また、通信システム１では、旧ＳＢＣ１０と新ＳＢＣ４０との間を、移行用ネットワークＮ３で接続している。これにより、通信システム１では、ＳＢＣ移行が開始した後において、クラス５ソフトスイッチ３０から旧ＳＢＣ１０に到達したパケットについても、旧ＳＢＣ１０から新ＳＢＣ４０に転送することができる。
【００４８】
上述の通り、通信システム１では、ＳＢＣ加入者端末２０からクラス５ソフトスイッチ３０に対し、一定周期でＲＥＧＩＳＴＥＲメッセージを送信する。ＳＢＣ加入者端末２０が、ＲＥＧＩＳＴＥＲを送信することで、クラス５ソフトスイッチ３０の端末情報が更新され、ＳＩＰメッセージで中継するＳＢＣを、旧ＳＢＣ１０（旧ＳＢＣ用アドレスＡ３）から新ＳＢＣ４０（新ＳＢＣ用アドレスＡ４）に変更することができる。そして、クラス５ソフトスイッチ３０は、ＳＢＣ加入者端末２０に対してＳＩＰメッセージを送信する際には、端末情報に基づいて、宛先のＩＰアドレス（ＳＢＣ加入者端末用ＩＰアドレスＡ２）と、中継するＳＢＣのＩＰアドレス（旧ＳＢＣ用アドレスＡ３又は新ＳＢＣ用アドレスＡ４）を設定したＳＩＰメッセージを生成し、端末情報に基づくＳＢＣ（端末情報に設定されたＳＢＣのＩＰアドレス）に、当該ＳＩＰメッセージのパケットを送信することになる。上述のように、クラス５ソフトスイッチ３０において、端末情報を更新する方式や、保持する端末情報の形式については限定されないものであり、種々のＳＩＰサーバ（ＳＢＣを経由して端末とアクセスするＳＩＰサーバ）と同様の構成を適用することができる。
【００４９】
以上のように、この実施形態の通信システム１では、ＳＢＣ移行を行う際に、新ＳＢＣ４０を接続する前状態（図２、図３の状態）から、仮に新ＳＢＣ４０を接続する（図１、図４の状態）。そして、最終的に移行後には、旧ＳＢＣ１０（付随する旧ＳＢＣ用Ｌ３スイッチ４０、及び加入者用ルータ６２を含む）を撤去し、図５、図６の状態とすることが可能となる。
【００５０】
図５は、旧ＳＢＣ１０の撤去後の通信システム１の論理接続構成について示したブロック図である。図６は、旧ＳＢＣ１０の撤去後の通信システム１の物理接続構成の例について示したブロック図である。
【００５１】
図５では、図１の状態から旧ＳＢＣ１０が除外された構成となっている。また、図６では、図４の状態から旧ＳＢＣ１０、旧ＳＢＣ用Ｌ３スイッチ４０、及び加入者用ルータ６２が除外された構成となっている。
【００５２】
上述のように、通信システム１では、ＳＢＣ移行の過程で、旧ＳＢＣ１０及び新ＳＢＣ４０を接続し、クラス５ソフトスイッチ３０とＳＢＣ加入者端末２０との間の通信を旧ＳＢＣ１０から新ＳＢＣ４０に切り替えることができる。通信システム１のＳＢＣ移行過程における通信経路（クラス５ソフトスイッチ３０とＳＢＣ加入者端末２０との間の通信の通信経路）の遷移については、後述する動作説明の頁で詳述する。
【００５３】
（Ａ−２）実施形態の動作
次に、以上のような構成を有するこの実施形態の通信システム１におけるＳＢＣ移行の過程（実施形態に係る移行方法）について説明する。
【００５４】
以下では、通信システム１におけるＳＢＣ移行する際のフェーズ（状態）ごとの通信経路について説明する。
【００５５】
以下では、移行前（図２、図３の状態）において、新ＳＢＣ４０が追加接続（仮接続）された状態（図１、図４の状態）をＳＢＣ移行の第１フェーズ（移行前フェーズ）と呼ぶものとする。
【００５６】
また、以下では、第１フェーズから、ＳＢＣの移行が開始された状態を第２フェーズ（移行中フェーズ）と呼ぶものとする。第２フェーズ（移行中フェーズ）は、アクセスネットワークＮ２（仮想ルータ６０を含む）等においてルーティング設定の変更（詳細については後述）が行われた状態である。
【００５７】
さらに、以下では、第２フェーズの移行が完了した後の状態を第３フェーズ（移行後フェーズ）と呼ぶものとする。
【００５８】
そして、通信システム１では、第３フェーズ（移行後フェーズ）となった後、クラス５ソフトスイッチ３０とＳＢＣ加入者端末２０の通信に影響を与えることなく、旧ＳＢＣ１０（旧ＳＢＣ１０に付随する旧ＳＢＣ用Ｌ３スイッチ４０等を含む）を停止させて撤去することができる。
【００５９】
[第１フェーズ（移行前フェーズ）の通信経路]
まず、第１フェーズ（移行前フェーズ）におけるクラス５ソフトスイッチ３０とＳＢＣ加入者端末２０との間の通信経路について、図７を用いて説明する。
【００６０】
ＳＢＣ加入者端末２０とクラス５ソフトスイッチ３０との間で送受信されるＳＩＰメッセージ（ＳＩＰ信号）の内容は限定されないものであるが、例えば、発信（着信）を制御するためのＩＮＶＩＴＥメッセージや、ＳＢＣ加入者端末２０に係る端末情報をクラス５ソフトスイッチ３０に登録するためのＲＥＧＩＳＴＥＲメッセージや、受信したＳＩＰメッセージに応答するメッセージ等が挙げられる。
【００６１】
図７は、第１フェーズ（移行前フェーズ）において、ＳＢＣ加入者端末２０とクラス５ソフトスイッチ３０との間で送受信されるＳＩＰメッセージ（ＳＩＰ信号）等のパケットが伝送される経路について示している。例えば、第１フェーズ（移行前フェーズ）において、ＳＢＣ加入者端末２０とクラス５ソフトスイッチ３０との間で電話通信の発着信のＳＩＰメッセージが交換される場合は、図７に示すような経路でＳＩＰメッセージのパケットが伝送される。
【００６２】
図７では、ＳＢＣ加入者端末２０からクラス５ソフトスイッチ３０にＳＩＰメッセージのパケット送信をする経路として矢印Ｐ１１を図示している。
【００６３】
まず、ＳＢＣ加入者端末２０はＳＢＣ加入者用ＩＰアドレスＡ１を宛先としたＳＩＰメッセージのパケットをアクセスネットワークＮ２に送出する。第１フェーズ（移行前フェーズ）において、アクセスネットワークＮ２には、ＳＢＣ加入者用ＩＰアドレスＡ１宛のパケットを加入者用ルータ６２側（旧ＳＢＣ１０側）にルーティングするように設定されているものとする。
【００６４】
したがって、ＳＢＣ加入者端末２０から送出されたＳＩＰメッセージのパケットは、旧ＳＢＣ１０側にルーティングされて、旧ＳＢＣ１０に到達する。
【００６５】
そして、旧ＳＢＣ１０は、受信したパケットのＳＩＰメッセージについて、アクセスネットワークＮ２向けの内容からコアネットワークＮ１向けの内容に変換し、クラス５ソフトスイッチ３０を宛先とするパケットとして、コアネットワークＮ１側に送出（旧ＳＢＣ用Ｌ３スイッチ４０及びＬ３スイッチ５０を介して送出）する。
【００６６】
そして、コアネットワークＮ１では、旧ＳＢＣ１０から送出されたパケットが、クラス５ソフトスイッチ３０に向けてルーティングされて、クラス５ソフトスイッチ３０に到達することになる。
【００６７】
以上のように、クラス５ソフトスイッチ３０は、ＳＢＣ加入者端末２０から旧ＳＢＣ１０を経由して受信したＳＩＰメッセージに基づいて、ＳＢＣ加入者端末２０からの電話通信の発信等を受け付けることができる。
【００６８】
次に、第１フェーズ（移行前フェーズ）において、クラス５ソフトスイッチ３０からＳＢＣ加入者端末２０にＳＩＰメッセージ（ＳＩＰ信号）を送信する際に、当該ＳＩＰメッセージのパケットが伝送される経路について説明する。図７では、クラス５ソフトスイッチ３０からＳＢＣ加入者端末２０にＳＩＰメッセージのパケット送信をする経路として矢印Ｐ１２を図示している。
【００６９】
第１フェーズ（移行前フェーズ）において、クラス５ソフトスイッチ３０に、ＳＢＣ加入者端末２０へアクセスする際に中継するＳＢＣのアドレスとして、旧ＳＢＣ１０のＩＰアドレス（旧ＳＢＣ用アドレスＡ３）が登録されているものとする。したがって、ここでは、クラス５ソフトスイッチ３０は、ＳＢＣ加入者端末用ＩＰアドレスＡ２を宛先とし、旧ＳＢＣ用アドレスＡ３を中継するＳＢＣとして指定したＵＲＩ（例えば、ＳＢＣ加入者端末用ＩＰアドレスＡ２及び旧ＳＢＣ用アドレスＡ３を含むＵＲＩ）を設定したＳＩＰメッセージのパケットを、コアネットワークＮ１へ送出（ルーティング）することになる。
【００７０】
そして、コアネットワークＮ１では、クラス５ソフトスイッチ３０から送出されたＳＩＰメッセージのパケットがルーティングされて旧ＳＢＣ１０に到達（Ｌ３スイッチ５０及び旧ＳＢＣ用Ｌ３スイッチ４０を経由して到達）する。
【００７１】
そして、旧ＳＢＣ１０は、受信したパケットのＳＩＰメッセージについて、コアネットワークＮ１向けの内容からアクセスネットワークＮ２向けの内容に変換し、アクセスネットワークＮ２に送出する。このとき、旧ＳＢＣ１０は、受信したパケットのＳＩＰメッセージのヘッダ情報（例えば、宛先のＵＲＩ）等に基づいて、送信先のＩＰアドレス（ＳＢＣ加入者端末用ＩＰアドレスＡ２）を取得して、当該ＳＩＰメッセージの宛先として認識し、当該認識した内容に基づいて変換処理を行う。
【００７２】
そして、宛先にＳＢＣ加入者用ＩＰアドレスＡ１が設定されたＳＩＰメッセージのパケットは、アクセスネットワークＮ２側で、ＳＢＣ加入者端末２０に向けてルーティングされて、ＳＢＣ加入者端末２０に到達することになる。
【００７３】
以上のように、ＳＢＣ加入者端末２０は、クラス５ソフトスイッチ３０から旧ＳＢＣ１０を経由して受信したＳＩＰメッセージに基づいて、クラス５ソフトスイッチ３０からの電話通信の着信を受け付けることができる。
【００７４】
[第２フェーズ（移行中フェーズ）の通信経路]
次に、第２フェーズ（移行中フェーズ）において、クラス５ソフトスイッチ３０とＳＢＣ加入者端末２０との間のＳＩＰメッセージが伝送される経路について、図８、図９を用いて説明する。
【００７５】
図８は、第２フェーズ（移行中フェーズ）において、ＳＢＣ加入者端末２０がクラス５ソフトスイッチ３０にＳＩＰメッセージ（ＳＩＰ信号）のパケットを送信する際の通信経路について示している。図８では、ＳＢＣ加入者端末２０からクラス５ソフトスイッチ３０にＳＩＰメッセージのパケット送信をする経路として矢印Ｐ２１を図示している。
【００７６】
まず、ＳＢＣ加入者端末２０が、ＳＢＣ加入者用ＩＰアドレスＡ１を宛先としたＳＩＰメッセージのパケットを生成してアクセスネットワークＮ２に送出したものとする。
【００７７】
第２フェーズ（移行中フェーズ）において、アクセスネットワークＮ２には、ＳＢＣ加入者用ＩＰアドレスＡ１を宛先とするパケットを、加入者移行用ルータ６３側（新ＳＢＣ４０側）にルーティングするように設定変更されているものとする。そして、新ＳＢＣ４０がアクセスネットワークＮ２（加入者移行用ルータ６３）と接続するインタフェースには、ＳＢＣ加入者用ＩＰアドレスＡ１が設定されている。したがって、ＳＢＣ加入者端末２０からアクセスネットワークＮ２側に送出されたＳＩＰメッセージのパケットは、加入者移行用ルータ６３を介して新ＳＢＣ４０に到達することになる。
【００７８】
そして、新ＳＢＣ４０は、受信したパケットのＳＩＰメッセージについて、アクセスネットワークＮ２向けの内容からコアネットワークＮ１向けの内容に変換し、クラス５ソフトスイッチ３０を宛先とするＳＩＰメッセージのパケットとして、コアネットワークＮ１に送出（新ＳＢＣ用Ｌ３スイッチ７０及びＬ３スイッチ５０を介して送出）する。
【００７９】
そして、コアネットワークＮ１では、新ＳＢＣ４０から送出されたパケットが、クラス５ソフトスイッチ３０に向けてルーティングされて、クラス５ソフトスイッチ３０に到達することになる。
【００８０】
以上のように、クラス５ソフトスイッチ３０は、ＳＢＣ加入者端末２０から新ＳＢＣ４０を経由して受信したパケットのＳＩＰメッセージを受信して処理（例えば、ＳＢＣ加入者端末２０からの電話通信の発信を受け付け等）を行うことができる。
【００８１】
図９は、第２フェーズ（移行中フェーズ）において、クラス５ソフトスイッチ３０がＳＢＣ加入者端末２０にＳＩＰメッセージ（ＳＩＰ信号）のパケットを送信する際の通信経路について示している。図９では、クラス５ソフトスイッチ３０がＳＢＣ加入者端末２０にＳＩＰメッセージのパケット送信をする経路として矢印Ｐ２２を図示している。
【００８２】
第２フェーズ（移行中フェーズ）において、クラス５ソフトスイッチ３０に登録されているＳＢＣ加入者端末２０の端末情報は、未だに旧ＳＢＣ１０のＩＰアドレス（旧ＳＢＣ用アドレスＡ３）のまま更新されていない。したがって、ここでは、クラス５ソフトスイッチ３０は、ＳＢＣ加入者端末用ＩＰアドレスＡ２を宛先とし、旧ＳＢＣ用アドレスＡ３を中継するＳＢＣとして指定した宛先ＵＲＩ（例えば、ＳＢＣ加入者端末用ＩＰアドレスＡ２及び旧ＳＢＣ用アドレスＡ３を含むＵＲＩ）のＳＩＰメッセージのパケットを、コアネットワークＮ１へ送出（ルーティング）することになる。
【００８３】
そして、コアネットワークＮ１では、クラス５ソフトスイッチ３０から送出されたＳＩＰメッセージのパケットがルーティングされて旧ＳＢＣ１０に到達（Ｌ３スイッチ５０及び旧ＳＢＣ用Ｌ３スイッチ４０を経由して到達）する。
【００８４】
そして、旧ＳＢＣ１０は、受信したパケットのＳＩＰメッセージについて、コアネットワークＮ１向けの内容からアクセスネットワークＮ２向けの内容に変換し、当該ＳＩＰメッセージのパケットをアクセスネットワークＮ２側（加入者用ルータ６２）に送出することになる。
【００８５】
このとき、旧ＳＢＣ１０は、当該ＳＩＰメッセージのパケットについて、仮想ルータ６０の加入者用ルータ６２に送信することになる。そして、第２フェーズ（移行中フェーズ）において、加入者用ルータ６２には、ＳＢＣ加入者端末用ＩＰアドレスＡ２宛のパケット（旧ＳＢＣ１０から受信したパケット）を、移行用ネットワークＮ３側（新ＳＢＣ４０）にルーティングするように設定変更されているものとする。したがって、第２フェーズ（移行中フェーズ）では、旧ＳＢＣ１０からアクセスネットワークＮ２側に送出されたＳＩＰメッセージのパケットは、移行用ネットワークＮ３を介して新ＳＢＣ４０に到達することになる。
【００８６】
そして、第２フェーズ（移行中フェーズ）では、新ＳＢＣ４０は、旧ＳＢＣ１０から移行用ネットワークＮ３を介して受信したパケットについては、送信元アドレスをＳＢＣ加入者用ＩＰアドレスＡ１として、アクセスネットワークＮ２側（加入者移行用ルータ６３）に送出する。
【００８７】
そして、新ＳＢＣ４０から、アクセスネットワークＮ２側（加入者移行用ルータ６３）に送出されたＳＩＰメッセージのパケットは、加入者移行用ルータ６３によりルーティングされて、アクセスネットワークＮ２を介し、ＳＢＣ加入者端末２０に到達することになる。
【００８８】
上述の通り、通信システム１では、ＳＢＣ加入者端末２０からクラス５ソフトスイッチ３０に対し、一定周期でＲＥＧＩＳＴＥＲメッセージを送信する。ＳＢＣ加入者端末２０が、ＲＥＧＩＳＴＥＲメッセージを送信することで、クラス５ソフトスイッチ３０の端末情報が更新（中継するＳＢＣが、旧ＳＢＣ１０から新ＳＢＣ４０に変更）される。
【００８９】
具体的には、ＳＢＣ加入者端末２０から送出されたＲＥＧＩＳＴＥＲメッセージのパケットは、上述の図８に示すように、新ＳＢＣ４０を経由してクラス５ソフトスイッチ３０に到達するため、クラス５ソフトスイッチ３０の端末情報（ＳＢＣ加入者端末２０に係る端末情報に設定されるＳＢＣ）が旧ＳＢＣ１０から新ＳＢＣ４０に更新される。これにより、ＳＢＣ加入者端末２０に係るＳＢＣ移行は完了し、第３フェーズ（移行後フェーズ）に移行することになる。なお、第２フェーズ（移行中フェーズ）以降では、アクセスネットワークＮ２側（仮想ルータ６０）でルーティング変更が行われているため、ＳＢＣ加入者端末２０から旧ＳＢＣ１０にＳＩＰメッセージのパケットが送信されてしまうことはない。
【００９０】
[第３フェーズ（移行後フェーズ）の通信経路]
次に、第３フェーズ（移行後フェーズ）において、クラス５ソフトスイッチ３０とＳＢＣ加入者端末２０との間のＳＩＰメッセージが伝送される経路について、図１０を用いて説明する。
【００９１】
第２フェーズ（移行中フェーズ）で、ＳＢＣ加入者端末２０から送出されたＲＥＧＩＳＴＥＲメッセージのパケットがクラス５ソフトスイッチ３０に到達すると、クラス５ソフトスイッチ３０上でＳＢＣ加入者端末２０の端末情報（経由するＳＢＣのＩＰアドレス）が更新されて、ＳＢＣ加入者端末２０に係る移行が完了し、ＳＢＣ加入者端末２０の通信については第３フェーズ（移行後フェーズ）に移行することになる。すなわち、第２フェーズ（移行中フェーズ）において、アクセスネットワークＮ２上に存在するＳＢＣ加入者端末２０が、全てクラス５ソフトスイッチ３０にＲＥＧＩＳＴＥＲメッセージを送信することで、通信システム１全体の移行は完了して、第３フェーズ（移行後フェーズ）となる。
【００９２】
図１０は、第３フェーズ（移行後フェーズ）において、ＳＢＣ加入者端末２０がクラス５ソフトスイッチ３０にＳＩＰメッセージ（ＳＩＰ信号）のパケットを送信する際の通信経路について示している。図１０では、ＳＢＣ加入者端末２０からクラス５ソフトスイッチ３０にＳＩＰメッセージのパケット送信をする経路として矢印Ｐ３２を図示している。また、図１０では、クラス５ソフトスイッチ３０がＳＢＣ加入者端末２０にＳＩＰメッセージのパケット送信をする経路として矢印Ｐ３１を図示している。なお、ＳＢＣ加入者端末２０からクラス５ソフトスイッチ３０にＳＩＰメッセージのパケット送信をする経路（矢印Ｐ３２）は、第２フェーズ（移行中フェーズ）の矢印Ｐ２１と同様の経路であるので、詳しい説明を省略する。
【００９３】
次に、第３フェーズ（移行後フェーズ）において、クラス５ソフトスイッチ３０がＳＢＣ加入者端末２０にＳＩＰメッセージ（ＳＩＰ信号）等のパケットを送信する際の、通信経路について説明する。
【００９４】
第３フェーズ（移行後フェーズ）において、クラス５ソフトスイッチ３０に登録されているＳＢＣ加入者端末２０の端末情報は、新ＳＢＣ４０のＩＰアドレス（新ＳＢＣ用アドレスＡ４）に更新されている。
【００９５】
したがって、ここでは、クラス５ソフトスイッチ３０は、ＳＢＣ加入者端末用ＩＰアドレスＡ２を宛先とし、新ＳＢＣ用アドレスＡ４を中継するＳＢＣとして指定したＵＲＩ（例えば、ＳＢＣ加入者端末用ＩＰアドレスＡ２及び新ＳＢＣ用アドレスＡ４を含むＵＲＩ）のＳＩＰメッセージのパケットを、コアネットワークＮ１へ送出（ルーティング）することになる。
【００９６】
そして、コアネットワークＮ１では、クラス５ソフトスイッチ３０から送出されたＳＩＰメッセージのパケットがルーティングされて新ＳＢＣ４０に到達（Ｌ３スイッチ５０及び新ＳＢＣ用Ｌ３スイッチ７０を経由して到達）する。
【００９７】
そして、新ＳＢＣ４０は、受信したパケットのＳＩＰメッセージについて、コアネットワークＮ１向けの内容からアクセスネットワークＮ２向けの内容に変換し、当該ＳＩＰメッセージのパケットをアクセスネットワークＮ２側（加入者移行用ルータ６３）に送出することになる。
【００９８】
そして、新ＳＢＣ４０から、アクセスネットワークＮ２側（加入者移行用ルータ６３）に送出されたＳＩＰメッセージのパケットは、加入者移行用ルータ６３によりルーティングされて、アクセスネットワークＮ２を介し、ＳＢＣ加入者端末２０に到達することになる。
【００９９】
（Ａ−３）実施形態の効果
この実施形態によれば、以下のような効果を奏することができる。
【０１００】
通信システム１では、移行中（第２フェーズ）において、旧ＳＢＣ１０と同一のＩＰアドレス（ＳＢＣ加入者用ＩＰアドレスＡ１）が割り当てられた新ＳＢＣ４０からクラス５ソフトスイッチ３０にＳＩＰメッセージのパケットが送信される。これにより、通信システム１では、旧ＳＢＣ１０から新ＳＢＣ４０へ切り替える際（第１フェーズの状態からから第２フェーズの状態に切替える際）に、ＳＢＣ加入者端末２０側の設定変更（例えば、ＳＩＰメッセージのパケットの送信先（中継するＳＢＣのＩＰアドレス）の変更）や、旧ＳＢＣ１０のＩＰアドレスの変更を行わずに、新ＳＢＣ４０に呼を発信できる。
【０１０１】
また、通信システム１では、移行中（第２フェーズ）において、旧ＳＢＣ１０が、クラス５ソフトスイッチ３０から受信したＳＩＰメッセージのパケットを、移行用ネットワークＮ３を介して新ＳＢＣ４０に送信している。そして、新ＳＢＣ４０は、移行用ネットワークＮ３を介して受信したＳＩＰメッセージのパケットの送信元ＩＰアドレスを旧ＳＢＣ１０のＳＢＣ加入者用ＩＰアドレスＡ１に変換してアクセスネットワークＮ２（ＳＢＣ加入者端末２０）に送信している。これにより、通信システム１では、旧ＳＢＣ１０から新ＳＢＣ４０へ切り替える際（第１フェーズの状態からから第２フェーズの状態に切替える際）に、コアネットワークＮ１側の設定変更（例えばルーティング設定の変更）や、旧ＳＢＣ１０の設定変更（例えば、ＩＰアドレスの変更）や、ＳＢＣ加入者端末２０の設定変更（例えば、経由するＳＢＣのＩＰアドレス変更）を行わなくても、クラス５ソフトスイッチ３０から新ＳＢＣ４０を経由してＳＢＣ加入者端末２０に呼の着信をさせることができる。
【０１０２】
さらに、通信システム１では、移行中（第２フェーズ）に、ＳＢＣ加入者端末２０からＲＥＧＩＳＴＥＲメッセージが送信され、端末情報がクラス５ソフトスイッチ３０へ登録されると、クラス５ソフトスイッチ３０側でＳＢＣ加入者端末２０の端末情報として新ＳＢＣのＩＰアドレスを登録し、以後はクラス５ソフトスイッチ３０から新ＳＢＣ４０を介したＳＩＰメッセージのパケット送信が行われる（すなわち、第３フェーズに移行する。すなわち、通信システム１では、移行中（第２フェーズ）から第３フェーズ（移行後フェーズ）に移行する際に、ＳＢＣ加入者端末２０の設定変更（例えば、経由するＳＢＣのＩＰアドレス変更）や、クラス５ソフトスイッチ３０の設定変更（例えば、端末情報の変更）を必要としない。
【０１０３】
以上のように、通信システム１では、ＳＢＣ移行に際して（第１〜第３フェーズの過程）で、新ＳＢＣ４０を用いて、途切れることなく容易にＳＢＣ加入者端末２０の発着信（クラス５ソフトスイッチ３０との間のＳＩＰメッセージのパケット送受信）を行うことができる。すなわち、通信システム１では、ＳＢＣ移行に際して（第１〜第３フェーズの過程で）、ＳＢＣ加入者端末２０に対する通話不可といったサービス影響が生じることを低減することができる。
【０１０４】
（Ｂ）他の実施形態
本発明は、上記の実施形態に限定されるものではなく、以下に例示するような変形実施形態も挙げることができる。
【０１０５】
（Ｂ−１）上記の実施形態では、アクセスネットワークＮ２に接続するＳＢＣ加入者端末２０は、電話通信端末であるものとして説明したが、ＳＢＣ加入者端末２０は、ＳＩＰサーバ（クラス５ソフトスイッチ３０）を用いた通信サービス(例えば、メッセージ送信やビデオ会議等の通信サービス)に対応する他の端末としてもよい。
【符号の説明】
【０１０６】
１…通信システム、１０…旧ＳＢＣ、２０ＳＢＣ加入者端末、３０…クラス５ソフトスイッチ、３１…端末情報保持部、４０…旧ＳＢＣ用Ｌ３スイッチ、５０…Ｌ３スイッチ、６０…仮想ルータ、６１…加入者用ルータ、６２…加入者用ルータ、６３…加入者移行用ルータ、４０…新ＳＢＣ、７０…新ＳＢＣ用Ｌ３スイッチ、Ｎ１…コアネットワーク、Ｎ２…アクセスネットワーク、Ｎ３…移行用ネットワーク。
【図１】
2017085314.tif 000003
【図２】
2017085314.tif 000004
【図３】
2017085314.tif 000005
【図４】
2017085314.tif 000006
【図５】
2017085314.tif 000007
【図６】
2017085314.tif 000008
【図７】
2017085314.tif 000009
【図８】
2017085314.tif 000010
【図９】
2017085314.tif 000011
【図１０】
2017085314.tif 000012